(57)【要約】【課題】コンピューターから表示装置を動作制御するための設定画面のレイアウトを自由に作成することができる。【解決手段】プロジェクター２００を制御するコンピューター１００に表示される設定画面を作成する設定画面作成システムにおいて、プロジェクター２００は、設定画面のテンプレートと、プロジェクター２００の設定要素と、を格納する設定画面テンプレート記憶部２２８，設定部品記憶部２２９を備え、コンピューター１００は、ユーザーが指定した特定のテンプレートだけを設定画面テンプレート記憶部２２８から選択して表示し、ユーザーが指定した特定の設定要素だけを設定部品記憶部２２９から選択してユーザーが指定したレイアウトに応じて特定のテンプレート上に表示することによって、設定画面を作成する設定画面作成部１０５と、作成された設定画面のレイアウト情報を記憶するレイアウト情報記憶部２４０と、を有する。【選択図】図１
2010198067.tif 000002
【特許請求の範囲】
【請求項１】
表示装置を制御する制御装置に表示される画面であって、前記表示装置の動作設定を受け付けるための設定画面を作成する設定画面作成方法において、
前記設定画面のテンプレートのうち、ユーザーが指定した特定のテンプレートを選択し表示する第１のステップと、
前記表示装置が保持している設定要素のうち、前記ユーザーが指定した特定の設定要素を、前記ユーザーが指定したレイアウトに応じて前記特定のテンプレート上に表示する第２のステップと、
前記第２のステップで表示された設定画面のレイアウト情報を保存する第３のステップと、を含むことを特徴とする設定画面作成方法。
【請求項２】
前記表示装置に、前記設定画面のレイアウト情報を登録する第４のステップを含むことを特徴とする請求項１に記載の設定画面作成方法。
【請求項３】
複数の表示装置に前記設定画面のレイアウト情報を一括して登録する第５のステップを含むことを特徴とする請求項１に記載の設定画像作成方法。
【請求項４】
前記制御装置は、複数の表示装置と通信可能に接続されており、
前記第２のステップにおいて、表示装置毎に前記ユーザーが指定した設定要素を、前記特定のテンプレート上に一括表示することを特徴とする請求項１に記載の設定画面作成方法。
【請求項５】
請求項４に記載の設定画面作成方法によって作成した設定画面に基づき、前記制御装置が前記複数の表示装置の動作を同時に制御することを特徴とする表示装置の動作制御方法。
【請求項６】
表示装置を制御する制御装置に表示される画面であって前記表示装置の動作設定を受け付けるための設定画面、を作成する設定画面作成システムにおいて、
前記表示装置は、
前記設定画面のテンプレートと、前記表示装置の設定要素と、を格納する格納手段を備え、
前記制御装置は、
ユーザーが指定した特定のテンプレートを前記格納手段から選択して表示し、前記ユーザーが指定した特定の設定要素を前記格納手段から選択して前記ユーザーが指定したレイアウトに応じて前記特定のテンプレート上に表示することによって、前記設定画面を作成する設定画面作成手段と、
作成された設定画面のレイアウト情報を記憶する記憶手段と、を有することを特徴とする設定画面作成システム。
【請求項７】
前記制御装置は、複数の表示装置と通信可能に接続されており、
前記設定画面作成手段は、表示装置毎に前記ユーザーが指定した設定要素を、前記特定のテンプレート上に一括表示することを特徴とする請求項６に記載の設定画面作成システム。
【請求項８】
請求項７に記載の設定画面作成システムによって作成した設定画面に基づき、前記制御装置が前記複数の表示装置の動作を同時に制御することを特徴とする動作制御システム。
【発明の詳細な説明】
【技術分野】
【０００１】
本発明は、表示装置を制御する制御装置に表示される画面であって前記表示装置の動作設定を受け付けるための設定画面、を作成する設定画面作成方法、作成された設定画面に基づき表示装置の動作を制御する動作設定方法、設定画面作成システム及び動作制御システムに関する。
【背景技術】
【０００２】
画像を投写表示するプロジェクターは、大画面表示が可能であることから、講演や会議、学校の授業等において広く利用されている。このようなプロジェクターは、ネットワークや、ＵＳＢ（Universal Serial Bus）や、ＲＳ−２３２などを介して、制御装置であるコンピューターに接続され、そのコンピューターによって、プロジェクターにおける動作状態が制御される。
【０００３】
例えば、プロジェクターにＷｅｂサーバー機能を持たせ、コンピューターにおいて、Ｗｅｂブラウザソフトウェアを起動してプロジェクターの設定画面Ｗｅｂページを表示させることにより、コンピューター側からプロジェクターの動作状態を制御する方法も知られている（特許文献１〜３参照）。
【０００４】
また、プロジェクターにＷｅｂサーバー機能を持たせなくとも、コンピューター側からプロジェクターの動作状態を制御できる構成も知られている。
特許文献４には、コンピューターにおいて、プロジェクターの機種に依存しないユーティリティプログラムを起動させ、プロジェクター側に格納された設定基本情報を取得することによって、そのプロジェクターの機種に対応した専用の動作状態制御部を構築する表示システムが記載されている。これにより、プロジェクター側にＷｅｂサーバー機能や、プロジェクターの機種に依存する専用ソフトウェアーを搭載せずに、コンピューターからプロジェクターを制御することができる。
【０００５】
このように、コンピューター側からプロジェクターの動作を制御する場合は、設定画面を表示させる必要がある。上述した特許文献１〜３に記載のようにＷｅｂサーバー機能を持っているプロジェクターであれば、コンピューターのＷｅｂブラウザを起動して設定画面のＷｅｂページを表示する。また、特許文献４に記載のようにＷｅｂサーバー機能を持っていない場合は、設定画面をＧＵＩとして備える動作状態制御部によって設定画面を表示する。
【先行技術文献】
【特許文献】
【０００６】
【特許文献１】特開２００２−１２３４８８号公報
【特許文献２】特開２００２−２５２８８０号公報
【特許文献４】特開２００４−２７９９８９号公報
【特許文献３】特開２００４−０３７５４２号公報
【発明の概要】
【発明が解決しようとする課題】
【０００７】
ところで、Ｗｅｂサーバー機能を備えたプロジェクターが持っている設定画面は、決まったレイアウトのページとなっているため、コンピューターからプロジェクターにネットワーク経由でアクセスすると、いつも同じレイアウトの設定画面が表示される。また、コンピューターに、設定画面をＧＵＩとして備える動作状態制御部を構築した場合も同じ設定画面が表示される。
【０００８】
しかしながら、プロジェクターの設定画面には、ユーザーが殆ど使用しない機能も数多く含まれており、使用しない設定要素が常に表示されることによって、ユーザビリティに欠けることもある。このため、ユーザー好みのレイアウトを自由に作成し設定できることが望まれるところである。また、大きな会社では複数のプロジェクターの動作制御を一括して管理したい場合があるが、従来のような構成では各プロジェクターの設定画面を１台１台見ていく必要があるため、作業が煩雑である。
【０００９】
本発明は、上記課題を解決するためになされたものであって、通信可能に接続されたコンピューターから表示装置を動作制御するための設定画面のレイアウトを自由に作成することができる設定画面作成方法、表示装置の動作設定方法、設定画面作成システム及び動作制御システムを提供することを目的とする。
【課題を解決するための手段】
【００１０】
上記課題を解決することのできる本発明は、表示装置を制御する制御装置に表示される画面であって前記表示装置の動作設定を受け付けるための設定画面、を作成する設定画面作成方法において、
前記設定画面のテンプレートのうち、ユーザーが指定した特定のテンプレートを選択し表示する第１のステップと、
前記表示装置が保持している設定要素のうち、前記ユーザーが指定した特定の設定要素を、前記ユーザーが指定したレイアウトに応じて前記特定のテンプレート上に表示する第２のステップと、
前記第２ステップで表示された設定画面のレイアウト情報を保存する第３のステップと、を含むことを特徴とする。
上記構成によれば、従来は設定画面のレイアウトが固定のものとなっていたが、通信可能に接続されたコンピューターから表示装置を動作制御するための設定画面のレイアウトを自由に作成することができる。
【００１１】
また本発明は、前記表示装置に、前記設定画面のレイアウト情報を登録する第４のステップを含むことを特徴とする。
上記構成によれば、レイアウト情報を表示装置に登録することによって、レイアウトを自由に作成した設定画面を表示装置から読み出してコンピューターに表示させることができる。したがって、レイアウト情報を登録し直すことで、表示される設定画面のレイアウトをいつでも容易に行うことができる。
【００１２】
また本発明は、複数の表示装置に前記設定画面のレイアウト情報を一括して登録する第５のステップを含むことを特徴とする。
上記構成によれば、複数の表示装置に対して一括してレイアウト情報を登録することができるので、各表示装置に対して個別にレイアウト情報を登録する作業を必要としない。
【００１３】
また本発明において、前記制御装置は、複数の表示装置と通信可能に接続されており、
前記第２のステップにおいて、表示装置毎に前記ユーザーが指定した設定要素を、前記特定のテンプレート上に一括表示することを特徴とする。
上記構成によれば、特定のテンプレート上に複数の表示装置の各設定要素を一括表示できるので、１つの設定画面に対して複数の表示装置の設定要素を含んだ設定画面レイアウトを作成することができる。
【００１４】
また本発明の表示装置の動作制御方法は、本発明の設定画面作成方法によって作成した設定画面に基づき、前記制御装置が前記複数の表示装置の動作を同時に制御することを特徴とする。
１つの設定画面に複数の表示装置の設定要素を表示させることができるため、ユーザーは１つの制御装置に表示された設定画面から、複数の表示装置に対する設定値を与えることができるため、従来のように表示装置毎に動作設定を行う必要がない。
【００１５】
また、上記課題を解決することのできる本発明は、表示装置を制御する制御装置に表示される画面であって前記表示装置の動作設定を受け付けるための設定画面、を作成する設定画面作成システムにおいて、
前記表示装置は、
前記設定画面のテンプレートと、前記表示装置の設定要素と、を格納する格納手段を備え、
前記制御装置は、
ユーザーが指定した特定のテンプレートを前記格納手段から選択して表示し、前記ユーザーが指定した特定の設定要素を前記格納手段から選択して前記ユーザーが指定したレイアウトに応じて前記特定のテンプレート上に表示することによって、前記設定画面を作成する設定画面作成手段と、作成された設定画面のレイアウト情報を記憶する記憶手段と、を有することを特徴とする。
【００１６】
また本発明において、前記制御装置は、複数の表示装置と通信可能に接続されており、
前記設定画面作成手段は、表示装置毎に前記ユーザーが指定した設定要素を、前記特定のテンプレート上に一括表示することを特徴とする。
【００１７】
また、本発明は、上記記載の設定画面作成システムによって作成した設定画面に基づき、前記制御装置が前記複数の表示装置の動作を同時に制御することを特徴とする。
【図面の簡単な説明】
【００１８】
【図１】本発明の表示システムの一実施形態を示すブロック図である。
【図２】設定画面作成処理の流れを示すフローチャートである。
【図３】図２のフローに従って作成された設定画面の一例を示した図である。
【図４】複数のプロジェクターの設定要素を１つの画面で表示した設定画面の例を示した図である。
【図５】１つのコンピューターで複数のプロジェクターを動作制御する状態を示した図である。
【発明を実施するための形態】
【００１９】
以下、本発明の設定画面作成方法、表示装置の動作制御方法、設定画面作成システム及び動作制御システムの実施の形態について詳細に関する。
図１は、本発明の表示システムの一実施形態を示すブロック図である。図１に示す設定画面作成システムは、制御装置としてのコンピューター１００と、表示装置としてのプロジェクター２００と、で構成されており、両者は、ローカルエリアネットワーク（ＬＡＮ）などのネットワークを介して接続されている。また、プロジェクター２００の外部には、ＴＶチューナーや、ビデオテーププレーヤーや、ＤＶＤプレーヤーなどの画像供給装置４００が接続されている。
【００２０】
（コンピューターの内部構成について）
このうち、コンピューター１００は、コンピュータプログラムに従って種々の処理や制御を行うためのＣＰＵ１０２と、処理中に得られたデータなどを記憶したりするためのメモリー１０４と、キーボードやポインティングデバイスなどから成り、ユーザーからの指示などを入力するための入力装置１０６と、ＣＲＴや液晶ディスプレイなどから成り、プロジェクター２００を制御するための設定画面などを表示するためのモニター１０８と、種々のデータや各種プログラムなどを格納するためのハードディスク装置１１０と、上記コンピュータプログラムの書き込まれたＣＤ−ＲＯＭ等を読み取るためのＣＤ−ＲＯＭドライブ装置１１２と、ネットワークを介して他の装置と通信を行うためのネットワークコントローラー１１６と、を備えている。
【００２１】
ＣＰＵ１０２は、ハードディスク１１０に記憶されたコンピュータプログラムのうち、例えば、Ｗｅｂページ作成プログラム１１１を読み出して実行する。ＣＰＵ１０２がＷｅｂページ作成プログラム１１１を実行することによって設定画面作成部１０５が構成される。設定画面作成部１０５はプロジェクター２００の動作設定を行う設定画面を作成する。
なお、Ｗｅｂページ作成プログラム１１１は、プロジェクターの機種毎に用意される専用ソフトウェアーではなく、プロジェクターの機種には依存しないソフトウェアーであり、一般に市販されているものでもよい。
【００２２】
（プロジェクターの内部構成について）
一方、プロジェクター２００は、所定のコンピュータプログラムに従ってプロジェクター２００内の各構成部を制御するＣＰＵ２０２と、画像供給装置４００から供給された画像信号に所定の画像処理を施して、画像データを生成する画像処理回路２０６と、画像処理回路２０６から得られた画像データに基づいて、投写スクリーン（図示せず）などの被投写面上に画像を投写する画像投写部２０８と、画像供給装置４００から供給された音声信号に所定の音声処理を施して、音声データを生成する音声処理回路２１０と、Ｗｅｂサーバーモジュール２２０と、を備えている。
【００２３】
Ｗｅｂサーバーモジュール２２０は、Ｗｅｂサーバーモジュール側ＣＰＵ２２１、ハードディスク２２２、ネットワークコントローラー２２３、メモリー２２４及びレイアウト情報記憶部２４０を備えている。Ｗｅｂサーバーモジュール側ＣＰＵ２２１は、プロジェクター本体側ＣＰＵ２０２に接続されており、ネットワークコントローラー２２３を介してネットワークに接続されている。また、Ｗｅｂサーバーモジュール側ＣＰＵ２２１は、プロジェクター本体側ＣＰＵ２０２とデータ交換を行い、プロジェクター本体の制御およびプロジェクター本体から情報収集を行う。
【００２４】
ハードディスク２２２には、Ｗｅｂサーバーモジュール側のＣＰＵ２２１が実行するプログラムやＯＳ等が格納されたプログラム記憶部２２６、プロジェクター２００の設定画面を作成する際に必要な複数種類の設定画面テンプレートが格納された設定画面テンプレート記憶部２２８及びプロジェクター２００が備える動作設定要素が部品化されて記憶された設定部品記憶部２２９が設定されている。
動作設定要素としては、例えば、映像の明るさ調整、コントラスト調整、色の濃さ、輝度切り替え、台形補正、電源切り替え等、プロジェクター２００において設定できる全ての項目が対象となっている。
なお、本実施例ではハードディスクを用いているが、内部メモリーや外部メモリ（例えばＳＤカードやＵＳＢメモリー）等、同等な機能を有するものであれば特に限定する必要はない。
【００２５】
従来のプロジェクターの設定画面は、複数のトップメニューと、各トップメニューと関連付けられた複数のサブメニューとによって構成されている。つまりユーザーは、設定対象要素が属するトップメニューを１つだけ選択し、さらに表示された複数のサブメニューの中から対象となる設定要素を選択する。例えば、トップメニューとしては、画質調整メニュー、映像メニュー、設定メニュー、拡張設定メニュー、ネットワークメニュー等がある。このうち、画質調整メニューに属するサブメニューとしては、カラーモード、明るさ、コントラスト、色の濃さ、色合い、シャープネス、絶対色温度、カラー調整、初期化等がある。
このように、設定要素は多岐にわたるものの、実際にはユーザーが設定対象とする要素はかなり限られている場合が多い。
【００２６】
本実施形態の設定部品記憶部２２９には、上述した設定要素が全て部品化されて記憶されているが、上述したようなトップメニューとサブメニューとの関連付けがないため、それぞれの設定要素を独立して選択することが可能である。このため、ユーザーは頻繁に使用する設定要素だけを表示した設定画面を作成することができる。
さらに、設定画面テンプレート記憶部２２８に記憶されている複数のテンプレートのうちから好きなものを選択することができるため、ユーザーの使用態様に即した設定画面を作成することができる。
【００２７】
Ｗｅｂサーバーモジュール側のＣＰＵ２２１は、プログラム記憶部２２６に格納されている各種プログラムをメモリー２２４上で実行することによって、コンピューター１００からのリクエストに応じた画像や音声などのコンテンツを提供する。すなわち、コンピューター１００のＷｅｂブラウザ機能を利用してプロジェクター２００にリクエストが送られると、Ｗｅｂサーバーアプリケーション２３１がＣＧＩ（Common Gateway Interface）プログラム２３２を起動させる。ＣＧＩプログラム２３２は、コンピューター１００から受信したリクエストに応じたＨＴＭＬファイルを作成し、Ｗｅｂサーバーアプリケーション２３１はそのＨＴＭＬファイルをコンピューター１００へ送信する。
【００２８】
レイアウト情報記憶部２４０は、コンピューター１００の設定画面作成部１０５によって作成した設定画面のレイアウト情報を格納する記憶部である。設定情報作成部１０５によって作成した設定画面のレイアウト情報は、例えば、ネットワークコントローラー１１６を介してプロジェクター２００へ送信され、レイアウト記憶部２４０へ記憶される。また、作成したレイアウト情報は、ネットワークを介することなくＵＳＢメモリー等の外部記憶装置を介してレイアウト情報記憶部２４０へ直接登録してもよい。
【００２９】
（プロジェクターの一般的な動作について）
図１に示すプロジェクター２００の一般的な動作について説明する。
プロジェクター２００は、画像供給装置４００から画像信号及び音声信号を取り込む。画像処理回路２０６では、取り込んだ画像信号をフレーメモリ（図示せず）に書き込むと共に、書き込んだ画像信号を画像データとして読み出し、この書き込み／読み出しの際に、画像信号に対し、所望の画像処理を施す。画像投写部２０８では、画像処理回路２０６から得られた画像データを受け取り、その画像データに応じて液晶パネル（図示せず）を駆動して、光源（図示せず）から照射された照明光を変調する。そして、その変調した照明光を投写光学系（図示せず）を介して、投写スクリーン（図示せず）などの被投写面上に投写する。これにより、被投写面上には、拡大投写された画像が表示される。
【００３０】
また、音声処理回路２１０では、取り込んだ音声信号に所定の音声処理を施した後、その音声信号によってスピーカーを駆動する。これにより、スピーカーは、音声信号に応じた音声を発する。
【００３１】
（設定画面作成処理について）
次に、本実施形態の設定画面作成システムによる設定画面作成方法について説明する。図２は、設定画面作成処理の流れを示すフローチャートであり、図３は、図２のフローに従って作成された設定画面の一例を示した図である。
【００３２】
まずユーザーは、プロジェクター２００の動作設定画面を作成するにあたって、入力装置１０６を介してＷｅｂブラウザ上で、Ｗｅｂページ作成プログラムを起動させ、モニター１０８にＷｅｂページ編集画面を表示させる。
次に、ユーザーはＷｅｂページ編集画面から、設定画面のレイアウトを選択する（ステップＳ１１）。設定画面作成部１０５は、テンプレートの選択指示が与えられると、ネットワークコントローラー１１６を介して、選択されたテンプレートのファイル送信をプロジェクター２００に対してリクエストする。
【００３３】
コンピューター１００からのリクエストに応じて、Ｗｅｂサーバーアプリケーション２３１は、ＣＧＩプログラム２３２を起動させる。ＣＧＩプログラム２３２は、設定画面テンプレート記憶部２２８に記憶されている複数のテンプレートから、指示されたテンプレートを選択してＨＴＭＬファイルを作成し、Ｗｅｂサーバーアプリケーション２３１がコンピューター１００へ送信する。コンピューター１００は、テンプレートのファイルを受信すると、モニター１０８に表示されているＷｅｂページ編集画面上にテンプレートを表示する（ステップＳ１２）。
例えば、図３に示すようにメイン画面３００の下にコントロールバー３１０が表示される構成のテンプレート等がある。
【００３４】
テンプレートを決定すると、ユーザーはメイン画面３００上に、必要とするプロジェクター２００の設定要素を選択し配置する（ステップＳ１３）。設定画面作成部１０５は、設定要素の選択指示与えられると、ネットワークコントローラー１１６を介して、選択された設定要素のファイル送信をプロジェクター２００に対してリクエストする。
【００３５】
コンピューター１００からのリクエストに応じて、ＣＧＩプログラム２３２は、設定部品記憶部２２９に記憶されている複数の設定部品から、指示された設定部品を選択してＨＴＭＬファイルを作成し、Ｗｅｂサーバーアプリケーション２３１がコンピューター１００へ送信する。コンピューター１００は、設定部品のファイルを受信すると、モニター１０８に表示されているテンプレートのメイン画面３００上に表示する。
例えば、設定要素として、「電源」、「輝度切り替え」、「台形補正」を選択した場合は、これに対応する設定ボタン３０１,３０２,３０３が表示される。この各設定ボタンの配置位置もマウスを使ってドラッグやドロップするなどして適宜変更可能である。さらに、各設定要素について設定値の入力を受け付ける設定値入力欄３０４,３０５,３０６を作成し、設定画面のレイアウトを決定する。なお、設定要素や設定値入力欄以外に、ユーザーが作成したロゴ３０７や画像データ等も自由にレイアウトすることができる。
【００３６】
レイアウトの決定指示があると（ステップＳ１４：Ｙｅｓ）、設定画面作成部１０５は、作成した設定画面のレイアウト情報を保存する（ステップＳ１５）。
次に、保存されたレイアウト情報をプロジェクター２００に登録するためのネットワーク設定を行う。ネットワーク設定指示が入力されると、設定画面作成部１０５はステップＳ１５で保存したレイアウト情報をプロジェクター２００へ送信し（ステップＳ１６）、プロジェクター２００はレイアウト情報を受信するとレイアウト情報記憶部２４０に登録する。これにより、次回コンピューター１００のＷｅｂブラウザから設定画面を表示する場合は、ＣＧＩ２３２がレイアウト情報記憶部２４０からレイアウト情報を読み出し、さらにレイアウト情報に含まれている設定要素に対応する設定値だけを読み出してコンピューター１００へ送信することによって、図３に示すようにユーザーが必要とする設定要素だけを含めたシンプルな設定画面を表示することができる。
【００３７】
（設定画面作成方法の変形例について）
上記実施形態では、コンピューター１００に１つのプロジェクター２００が接続された場合を説明したが、複数のプロジェクターが接続されていている場合には、何れか１つのプロジェクターのレイアウト情報を、その他のプロジェクターに対して送信し一括して登録することもできる。
【００３８】
また、１つの設定画面中に複数のプロジェクターＡ,Ｂ,Ｃの設定要素を同時に表示させるようレイアウトすることもできる。図４は、複数のプロジェクターの設定要素を１つの画面で表示した設定画面の例を示した図である。
さらに、図４に示すように、共通設定ボタン３２０,３３０,３４０を各プロジェクターＡ,Ｂ,Ｃ毎に配置してもよい。例えば、共通設定ボタン３２０を選択すると、プロジェクターＡの設定値と同一の設定値が、プロジェクターＢ,Ｃにも一括して設定することができる。
【００３９】
（プロジェクターの動作制御方法について）
次に、上述のように作成した設定画面に基づいてプロジェクターを動作制御する方法について説明する。図５は、１つのコンピューターで複数のプロジェクターを動作制御する状態を示した図である。
図５に示したコンピューター１００のハードディスク１１０には、設定画面表示プログラム１１３が格納されており、ＣＰＵ１０２がこれを読み出し実行することによって、設定画面表示制御部１０９が構成される。なお、設定画面表示プログラム１１３はプロジェクターのユーティリティプログラムとして配布されたものなどであり、プロジェクターの機種には依存しないソフトウェアーである。
ここでは、設定画面表示制御部１０９が、上記設定画面作成方法によって作成した設定画面のレイアウト情報を備えており、図４に示した設定画面３５１をＧＵＩ（Graphical User Interface）として有している。
【００４０】
図４の設定画面は、例えばＯＸ社の社内Ｗｅｂページ３５０とリンクしており、会議室予約４１０、カレンダー４２０、掲示板４３０と同様に、プロジェクター状況４４０としてリンク先として設定されている。
ユーザーが、入力装置１０６を介してＷｅｂブラウザ機能を起動させ、社内ＬＡＮ５００を介してＷｅｂサーバー５１０へアクセスすると、社内Ｗｅｂページ３５０がモニター１０８に表示される。表示された社内Ｗｅｂページ３５０から、プロジェクター状況４４０を選択すると、設定画面表示制御部１０９が社内ＬＡＮ５００に接続されているプロジェクター２００，２５０，２７０が備える設定情報記憶部２４０，２５０，２６０から、各設定要素の設定値を取得し設定画面３５１として表示する。
【００４１】
設定画面３５１が表示されると、各設定要素のうち動作制御したい設定要素の設定値を変更することによって、各プロジェクター２００，２５０，２７０の動作を１台のコンピューター１００から制御することができる。
【００４２】
このように、本実施形態によれば、従来は設定画面のレイアウトが固定のものとなっていたが、通信可能に接続されたコンピューター１００からプロジェクター２００を動作制御するための設定画面のレイアウトを自由に作成することができる。また、特定のテンプレート上に複数のプロジェクター２００，２５０，２７０の各設定要素を一括表示できるので、１つの設定画面に対して複数のプロジェクターの設定要素を含んだ設定画面レイアウトを作成することができる。さらに、１つの設定画面に複数のプロジェクター２００，２５０，２７の設定要素を表示させることができるため、ユーザーは１つのコンピューター１００から、各プロジェクター２００，２５０，２７に対して設定値を与えることができるため、従来のようにプロジェクター毎に動作設定を行う必要がない。
【符号の説明】
【００４３】
１００：コンピューター（制御装置）、１０２：ＣＰＵ、１０４：メモリー、１０５：設定画面作成部、１０６：入力装置、１０８：モニター、１０９：設定画面表示制御部、１１０：ハードディスク、１１１：Ｗｅｂページ作成プログラム、１１２：ＣＤ−ＲＯＭドライブ装置、１１３：設定画面表示プログラム、２００：プロジェクター（表示装置）、２０２：ＣＰＵ、２０６：画像処理回路、２０８：画像投写部、２１０：音声処理回路、２２０：Ｗｅｂサーバーモジュール、２２１：ＣＰＵ、２２２：ハードディスク、２２４：メモリー、２２６：プログラム記憶部、２２８：テンプレート記憶部２２８、２２９：設定部品記憶部、２３１：Ｗｅｂサーバーアプリケーション、２３２ＣＧＩ、３００：メイン画面、３０１,３０２,３０３：設定ボタン、３０４,３０５,３０６：設定値入力欄、３０７：ロゴ、３１０：コントロールバー、３５０：社内Ｗｅｂページ、３５１：設定画面、２４０，２５０，２６０：設定情報記憶部、５００：社内ＬＡＮ、５１０：Ｗｅｂサーバー。
【図１】
2010198067.tif 000003
【図２】
2010198067.tif 000004
【図３】
2010198067.tif 000005
【図４】
2010198067.tif 000006
【図５】
2010198067.tif 000007